(57)【要約】【課題】利便性良好にチャンネルマップを更新する。【解決手段】デジタル放送受信機のＭＰＵ１１は、予め設定された所定時間毎に、受信部１４を介して、１の周波数帯域のテレビジョン放送に含まれるＮＩＴ情報を取得するテーブル取得部１１２と、取得されたＮＩＴ情報に基づいて論理チャンネル識別情報を取得する識別情報取得部１１３と、取得された論理チャンネル識別情報が、チャンネル記憶部１２１に格納された論理チャンネル識別情報と一致するか否かを判定する識別情報判定部１１４と、一致しないと判定された場合に、識別情報取得部１１３によって取得された論理チャンネル識別情報を、チャンネル記憶部１２１に格納された論理チャンネル識別情報に換えて、チャンネル記憶部１２１に記録する識別情報更新部１１５と、を備えている。【選択図】図２
2009105793.tif 000002
【特許請求の範囲】
【請求項１】
デジタル方式のテレビジョン放送を受信し、受信した映像情報をモニタに表示可能に接続されたデジタル放送受信装置であって、
予め設定された周波数帯域のテレビジョン放送を受信する受信手段と、
前記モニタに表示する１のサービスに対応する論理チャンネルを識別する情報である論理チャンネル識別情報を、前記論理チャンネルに対応するサービスが受信可能な１の周波数帯域に対応する物理チャンネルを識別する情報である物理チャンネル識別情報と対応付けて予め格納するチャンネル記憶手段と、
外部からの操作入力を受け付けて、受け付けられた操作入力に基づいて、前記モニタに表示する１の論理チャンネルを設定すると共に、前記受信手段に対して、設定された１の論理チャンネルに対応するサービスが受信可能な１の周波数帯域を受信させるチャンネル設定手段と、
予め設定された所定時間毎に、前記受信手段を介して、前記１の周波数帯域のテレビジョン放送に含まれるＮＩＴ（Ｎｅｔｗｏｒｋ  Ｉｎｆｏｒｍａｔｉｏｎ  Ｔａｂｌｅ）情報を取得するテーブル取得手段と、
前記テーブル取得手段によって取得されたＮＩＴ情報に基づいて、論理チャンネル識別情報を取得する識別情報取得手段と、
前記識別情報取得手段によって取得された論理チャンネル識別情報が、前記チャンネル記憶手段に格納された論理チャンネル識別情報と一致するか否かを判定する識別情報判定手段と、
前記識別情報判定手段によって一致しないと判定された場合に、前記識別情報取得手段によって取得された論理チャンネル識別情報を、前記チャンネル記憶手段に格納された論理チャンネル識別情報に換えて、前記チャンネル記憶手段に記録する識別情報更新手段と、
を備えることを特徴とするデジタル放送受信装置。
【請求項２】
前記識別情報取得手段は、前記１の周波数帯域を介して受信される論理チャンネルに対応する論理チャンネル識別情報を取得することを特徴とする請求項１に記載のデジタル放送受信装置。
【請求項３】
前記テーブル取得手段は、選択されているネットワークに関するＮＩＴ情報であるＮＩＴ（ａｃｔｕａｌ）情報を取得し、
前記識別情報取得手段は、前記テーブル取得手段によって取得されたＮＩＴ（ａｃｔｕａｌ）情報に含まれるＬｏｇｉｏｃａｌ＿ｃｈａｎｎｅｌ＿ｄｅｓｃｒｉｐｔｏｒの論理チャンネル識別情報を取得することを特徴とする請求項２に記載のデジタル放送受信装置。
【請求項４】
前記識別情報取得手段は、前記１の周波数帯域のテレビジョン放送を送信している放送塔を含む複数の放送塔から送出する全ての論理チャンネル識別情報を取得することを特徴とする請求項１に記載のデジタル放送受信装置。
【請求項５】
前記テーブル取得手段は、他のネットワークに関するＮＩＴ情報であるＮＩＴ（ｏｔｈｅｒ）情報を取得し、
前記識別情報取得手段は、前記テーブル取得手段によって取得されたＮＩＴ（ｏｔｈｅｒ）情報に含まれるＬｏｇｉｏｃａｌ＿ｃｈａｎｎｅｌ＿ｄｅｓｃｒｉｐｔｏｒの論理チャンネル識別情報を取得することを特徴とする請求項４に記載のデジタル放送受信装置。
【請求項６】
前記識別情報判定手段によって一致しないと判定された場合に、論理チャンネル識別情報が更新されている旨の情報を、前記モニタに外部から視認可能に表示する表示制御手段を備えることを特徴とする請求項１〜請求項５のいずれかに記載のデジタル放送受信装置。
【発明の詳細な説明】
【技術分野】
【０００１】
本発明は、デジタル方式のテレビジョン放送を受信し、受信した映像情報をモニタに表示可能に接続されたデジタル放送受信装置に関する。
【背景技術】
【０００２】
テレビジョン放送を受信し、外部から視認可能にモニタに出力可能に構成された放送受信装置では、受信周波数を、例えば低い方から高い方へとスキャンしていき、テレビジョン放送の受信ができたチャンネルを、いわゆるチャンネルマップとして内部メモリに登録するチャンネルプリセット機能を有している。
【０００３】
上記チャンネルプリセットを効率的に行うために、種々の装置、方法等が提案されている。例えば、チャンネルマップにチャンネルを登録するときには物理チャンネル単位で登録し、削除するときにはサブチャンネル単位で削除する受信装置が開示されている（特許文献１参照）。上記受信装置によれば、チャンネルマップへのチャンネルの登録にかかる手間が抑えられるとともに、ユーザが自分の好みにあったチャンネルのみチャンネルマップに登録できる。
【特許文献１】特開２００２−３４４８３２号公報
【発明の開示】
【発明が解決しようとする課題】
【０００４】
しかしながら、上記受信装置等の従来の放送受信装置では、チャンネルプリセット機能によってチャンネルマップにチャンネルを登録することができるものの、チャンネルの構成が変化した場合には、再度チャンネルプリセット機能を実行させる必要があり、多大な時間を要する場合があった。また、チャンネルの構成が変化したか否かをユーザが認識することができないため、ユーザが視聴を所望する番組に対応するチャンネルを設定しても、所望する番組を視聴できない場合があった。
【０００５】
本発明は、上記課題に鑑みてなされたものであって、利便性良好にチャンネルマップを更新することの可能なデジタル放送受信装置を提供することを目的としている。
【課題を解決するための手段】
【０００６】
上記目的を達成するために請求項１に記載のデジタル放送受信装置は、デジタル方式のテレビジョン放送を受信し、受信した映像情報をモニタに表示可能に接続されたデジタル放送受信装置であって、予め設定された周波数帯域のテレビジョン放送を受信する受信手段と、前記モニタに表示する１のサービスに対応する論理チャンネルを識別する情報である論理チャンネル識別情報を、前記論理チャンネルに対応するサービスが受信可能な１の周波数帯域に対応する物理チャンネルを識別する情報である物理チャンネル識別情報と対応付けて予め格納するチャンネル記憶手段と、外部からの操作入力を受け付けて、受け付けられた操作入力に基づいて、前記モニタに表示する１の論理チャンネルを設定すると共に、前記受信手段に対して、設定された１の論理チャンネルに対応するサービスが受信可能な１の周波数帯域を受信させるチャンネル設定手段と、予め設定された所定時間毎に、前記受信手段を介して、前記１の周波数帯域のテレビジョン放送に含まれるＮＩＴ（Ｎｅｔｗｏｒｋ  Ｉｎｆｏｒｍａｔｉｏｎ  Ｔａｂｌｅ）情報を取得するテーブル取得手段と、前記テーブル取得手段によって取得されたＮＩＴ情報に基づいて、論理チャンネル識別情報を取得する識別情報取得手段と、前記識別情報取得手段によって取得された論理チャンネル識別情報が、前記チャンネル記憶手段に格納された論理チャンネル識別情報と一致するか否かを判定する識別情報判定手段と、前記識別情報判定手段によって一致しないと判定された場合に、前記識別情報取得手段によって取得された論理チャンネル識別情報を、前記チャンネル記憶手段に格納された論理チャンネル識別情報に換えて、前記チャンネル記憶手段に記録する識別情報更新手段と、を備えることを特徴としている。
【０００７】
請求項２に記載のデジタル放送受信装置は、請求項１に記載のデジタル放送受信装置であって、前記識別情報取得手段が、前記１の周波数帯域を介して受信される論理チャンネルに対応する論理チャンネル識別情報を取得することを特徴としている。
【０００８】
請求項３に記載のデジタル放送受信装置は、請求項２に記載のデジタル放送受信装置であって、前記テーブル取得手段が、選択されているネットワークに関するＮＩＴ情報であるＮＩＴ（ａｃｔｕａｌ）情報を取得し、前記識別情報取得手段が、前記テーブル取得手段によって取得されたＮＩＴ（ａｃｔｕａｌ）情報に含まれるＬｏｇｉｏｃａｌ＿ｃｈａｎｎｅｌ＿ｄｅｓｃｒｉｐｔｏｒの論理チャンネル識別情報を取得することを特徴としている。
【０００９】
請求項４に記載のデジタル放送受信装置は、請求項１に記載のデジタル放送受信装置であって、前記識別情報取得手段が、前記１の周波数帯域のテレビジョン放送を送信している放送塔を含む複数の放送塔から送出する全ての論理チャンネル識別情報を取得することを特徴としている。
【００１０】
請求項５に記載のデジタル放送受信装置は、請求項４に記載のデジタル放送受信装置であって、前記テーブル取得手段が、他のネットワークに関するＮＩＴ情報であるＮＩＴ（ｏｔｈｅｒ）情報を取得し、前記識別情報取得手段が、前記テーブル取得手段によって取得されたＮＩＴ（ｏｔｈｅｒ）情報に含まれるＬｏｇｉｏｃａｌ＿ｃｈａｎｎｅｌ＿ｄｅｓｃｒｉｐｔｏｒの論理チャンネル識別情報を取得することを特徴としている。
【００１１】
請求項６に記載のデジタル放送受信装置は、請求項１〜請求項５のいずれかに記載のデジタル放送受信装置であって、前記識別情報判定手段によって一致しないと判定された場合に、論理チャンネル識別情報が更新されている旨の情報を、前記モニタに外部から視認可能に表示する表示制御手段を備えることを特徴としている。
【発明の効果】
【００１２】
請求項１に記載のデジタル放送受信装置によれば、モニタに表示する１のサービスに対応する論理チャンネルを識別する情報である論理チャンネル識別情報が、論理チャンネルに対応するサービスが受信可能な１の周波数帯域に対応する物理チャンネルを識別する情報である物理チャンネル識別情報と対応付けてチャンネル記憶手段に予め格納されており、外部からの操作入力が受け付けられて、受け付けられた操作入力に基づいて、モニタに表示する１の論理チャンネルが設定されると共に、予め設定された周波数帯域のテレビジョン放送を受信する受信手段を介して、設定された１の論理チャンネルに対応するサービスが受信可能な１の周波数帯域が受信される。そして、予め設定された所定時間毎に、受信手段を介して、１の周波数帯域のテレビジョン放送に含まれるＮＩＴ（Ｎｅｔｗｏｒｋ  Ｉｎｆｏｒｍａｔｉｏｎ  Ｔａｂｌｅ）情報が取得され、取得されたＮＩＴ情報に基づいて、論理チャンネル識別情報が取得される。更に、取得された論理チャンネル識別情報が、チャンネル記憶手段に格納された論理チャンネル識別情報と一致するか否かが判定され、一致しないと判定された場合に、取得された論理チャンネル識別情報が、チャンネル記憶手段に格納された論理チャンネル識別情報に換えて、チャンネル記憶手段に記録されるため、利便性良好にチャンネルマップを更新することができる。
【００１３】
すなわち、予め設定された所定時間毎に、外部からの操作入力に基づいて設定された１の論理チャンネルに対応する１の周波数帯域のテレビジョン放送に含まれるＮＩＴ情報が取得されて、取得されたＮＩＴ情報に基づいて、論理チャンネル識別情報が取得され、取得された論理チャンネル識別情報が、チャンネル記憶手段に格納された論理チャンネル識別情報と一致しないと判定された場合に、取得された論理チャンネル識別情報が、チャンネル記憶手段に格納された論理チャンネル識別情報に換えて、チャンネル記憶手段に記録されるため、放送される論理チャンネル識別情報が更新される度に、ユーザが何らかの操作入力を行うことなくチャンネル記憶手段に格納された論理チャンネル識別情報が更新される（＝チャンネルマップが更新される）ので、利便性良好にチャンネルマップを更新することができるのである。
【００１４】
請求項２に記載のデジタル放送受信装置によれば、外部からの操作入力に基づいて設定された１の論理チャンネルに対応する１の周波数帯域を介して受信される論理チャンネルに対応する論理チャンネル識別情報が取得されるため、更に利便性良好にチャンネルマップを更新することができる。
【００１５】
すなわち、ユーザが視聴を所望する番組が放送される論理チャンネルを設定する度に、設定された１の論理チャンネルに対応する１の周波数帯域を介して受信される論理チャンネルに対応する論理チャンネル識別情報が取得されるため、ユーザが視聴を所望する番組が放送される論理チャンネルに関するチャンネルマップの更新が確実に行われるので、更に利便性良好にチャンネルマップを更新することができるのである。
【００１６】
請求項３に記載のデジタル放送受信装置によれば、選択されているネットワークに関するＮＩＴ情報であるＮＩＴ（ａｃｔｕａｌ）情報が取得され、取得されたＮＩＴ（ａｃｔｕａｌ）情報に含まれるＬｏｇｉｏｃａｌ＿ｃｈａｎｎｅｌ＿ｄｅｓｃｒｉｐｔｏｒの論理チャンネル識別情報が取得されるため、効率的にチャンネルマップを更新することができる。
【００１７】
すなわち、欧州のデジタル放送規格であるＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）において規定されているＮＩＴ（ａｃｔｕａｌ）情報に含まれるＬｏｇｉｏｃａｌ＿ｃｈａｎｎｅｌ＿ｄｅｓｃｒｉｐｔｏｒの論理チャンネル識別情報（＝ｌｏｇｉｃａｌ＿ｃｈａｎｎｅｌ＿ｎｕｍｂｅｒ）（ＥＴＳＩ  ＥＮ  ３００  ４６８  Ｖ１．６．１（２００４−０６）、及び、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６２２１６-１（Ｄｒａｆｔ  Ｖｅｒｓｉｏｎ  ２．０．２）参照）が取得されるため、設定された１の論理チャンネルに対応する１の周波数帯域を介して受信される全ての論理チャンネルに対応する論理チャンネル識別情報を確実に取得することができるので、効率的にチャンネルマップを更新することができるのである。
【００１８】
請求項４に記載のデジタル放送受信装置によれば、外部からの操作入力に基づいて設定された１の論理チャンネルに対応する１の周波数帯域のテレビジョン放送を送信している放送塔を含む複数の放送塔から送出する全ての論理チャンネル識別情報が取得されるため、放送局側で論理チャンネル識別情報が更新される度に、更新された論理チャンネル識別情報が取得されるので、更に効率的にチャンネルマップを更新することができる。
【００１９】
請求項５に記載のデジタル放送受信装置によれば、他のネットワークに関するＮＩＴ情報であるＮＩＴ（ｏｔｈｅｒ）情報が取得され、取得されたＮＩＴ（ｏｔｈｅｒ）情報に含まれるＬｏｇｉｏｃａｌ＿ｃｈａｎｎｅｌ＿ｄｅｓｃｒｉｐｔｏｒの論理チャンネル識別情報が取得されるため、更に効率的にチャンネルマップを更新することができる。
【００２０】
すなわち、欧州のデジタル放送規格であるＥＴＳＩにおいて規定されているＮＩＴ（ｏｔｈｅｒ）情報に含まれるＬｏｇｉｏｃａｌ＿ｃｈａｎｎｅｌ＿ｄｅｓｃｒｉｐｔｏｒの論理チャンネル識別情報（＝ｌｏｇｉｃａｌ＿ｃｈａｎｎｅｌ＿ｎｕｍｂｅｒ）（ＥＴＳＩ  ＥＮ  ３００  ４６８  Ｖ１．６．１（２００４−０６）、及び、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６２２１６-１（Ｄｒａｆｔ  Ｖｅｒｓｉｏｎ  ２．０．２）参照）が取得されるため、複数の放送塔から送出する全ての論理チャンネル識別情報を確実に取得することができるので、更に効率的にチャンネルマップを更新することができるのである。
【００２１】
請求項６に記載のデジタル放送受信装置によれば、取得された論理チャンネル識別情報が、チャンネル記憶手段に格納された論理チャンネル識別情報と一致しないと判定された場合に、論理チャンネル識別情報が更新されている旨の情報が、モニタに外部から視認可能に表示されるため、更に利便性良好にチャンネルマップを更新することができる。
【００２２】
すなわち、取得された論理チャンネル識別情報が、チャンネル記憶手段に格納された論理チャンネル識別情報と一致しないと判定された場合（＝放送局側では論理チャンネル識別情報が更新されたが、該デジタル放送受信装置では未だ論理チャンネル識別情報が更新されていない場合）に、論理チャンネル識別情報が更新されている旨の情報が、モニタに外部から視認可能に表示されるため、論理チャンネル識別情報が更新されていることをユーザが視認することができるので、更に利便性良好にチャンネルマップを更新することができるのである。
【発明を実施するための最良の形態】
【００２３】
以下に本発明の実施形態を、図面を参照しながら説明する。図１は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２４】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００２５】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２６】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００２７】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００２８】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００２９】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００３０】
画像出力部１７は、ＭＰＥＧ２デコード部１６によって復号化された映像情報を出力するものであって、ＰＡＬエンコード部１７１、映像信号出力部１７２、及び、ディスプレイ１７３を備えている。ＰＡＬ（Ｐｈａｓｅ  Ａｌｔｅｒｎａｔｉｎｇ  Ｌｉｎｅ）エンコード部１７１は、ＭＰＥＧ２デコード部１６によって復号化された映像情報をＰＡＬ方式のテレビジョン信号に変換するものである。映像信号出力部１７２は、ＰＡＬエンコード部１７１から出力されたＰＡＬ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３１】
赤外線通信部１８は、リモコン２からの電源のＯＮ、ＯＦＦ操作、選局、デジタル放送受信機１の各種設定等の各種操作を受け付けるものである。リモコン２（チャンネル設定手段の一部に相当する）は、種々のキーを備え、キーの押下を介してユーザからの操作入力を受け付けて、操作入力に対応する赤外線信号を生成して、デジタル放送受信機１に対して出力するものである。
【００３２】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３３】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００３４】
また、ＲＡＭ１２から読み出された映像情報がＭＰＥＧ２デコード部１６によって圧縮前の映像情報に復号化され、ＰＡＬエンコード部１７１によってＰＡＬ方式のテレビジョン信号に変換されて、映像信号出力部１７２を介してディスプレイ１７３に映像が表示される。
【００３５】
図２は、本発明に係るデジタル放送受信機１における主要部の構成の一例を示すブロック図である。ＭＰＵ１１は、機能的に、チャンネル設定部１１１、テーブル取得部１１２、識別情報取得部１１３、識別情報判定部１１４、識別情報更新部１１５、及び、表示制御部１１６を備え、ＲＡＭ１２は、機能的に、チャンネル記憶部１２１を備えている。
【００３６】
ここでは、ＭＰＵ１１が、図１に示すＲＯＭ１３等に予め格納された制御プログラムを読み出して実行することにより、チャンネル設定部１１１、テーブル取得部１１２、識別情報取得部１１３、識別情報判定部１１４、識別情報更新部１１５、表示制御部１１６等の機能部として機能すると共に、ＲＡＭ１２を、チャンネル記憶部１２１等の機能部として機能させるものである。
【００３７】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３８】
チャンネル記憶部１２１（チャンネル記憶手段に相当する）は、ディスプレイ１７３に表示する１のサービスに対応する論理チャンネルを識別する情報である論理チャンネル識別情報（ここでは、論理チャンネル番号（ｌｏｇｉｃａｌ＿ｃｈａｎｎｅｌ＿ｎｕｍｂｅｒ）情報）を、論理チャンネルに対応するサービスが受信可能な１の周波数帯域に対応する物理チャンネルを識別する情報である物理チャンネル識別情報と対応付けて予め格納するものである。
【００３９】
チャンネル記憶部１２１に格納された論理チャンネル識別情報は、識別情報判定部１１４によって読み出され、識別情報更新部１１５によって更新される（＝書き込まれる）ものである。
【００４０】
チャンネル設定部１１１（チャンネル設定手段の一部に相当する）は、リモコン２を介してユーザからの操作入力を受け付けて、受け付けられた操作入力に基づいて、ディスプレイ１７３に表示する１の論理チャンネルを設定すると共に、受信部１４（図１に示すチューナ部１４２等）に対して、設定された１の論理チャンネルに対応するサービスが受信可能な１の周波数帯域を受信させるものである。
【００４１】
テーブル取得部１１２（テーブル取得手段に相当する）は、予め設定された所定時間（例えば、５秒）毎に、受信部１４を介して、チャンネル設定部１１１によって設定された１の論理チャンネルに対応するサービスが受信可能な１の周波数帯域のテレビジョン放送に含まれるＮＩＴ（Ｎｅｔｗｏｒｋ  Ｉｎｆｏｒｍａｔｉｏｎ  Ｔａｂｌｅ）情報を取得するものである。
【００４２】
ここでは、テーブル取得部１１２は、選択されているネットワーク（＝チャンネル設定部１１１によって設定された１の論理チャンネルに対応するサービスが送信される放送塔を含むネットワーク）に関するＮＩＴ情報であるＮＩＴ（ａｃｔｕａｌ）情報を取得するものである。
【００４３】
識別情報取得部１１３（識別情報取得手段に相当する）は、テーブル取得部１１２によって取得されたＮＩＴ情報に基づいて、論理チャンネル識別情報を取得するものである。具体的には、識別情報取得部１１３は、テーブル取得部１１２によって取得されたＮＩＴ（ａｃｔｕａｌ）情報に基づいて、チャンネル設定部１１１によって設定された１の論理チャンネルに対応するサービスが受信可能な１の周波数帯域を介して受信される論理チャンネルに対応する論理チャンネル識別情報を取得するものである。
【００４４】
更に具体的には、識別情報取得部１１３は、テーブル取得部１１２によって取得されたＮＩＴ（ａｃｔｕａｌ）情報に含まれるＬｏｇｉｏｃａｌ＿ｃｈａｎｎｅｌ＿ｄｅｓｃｒｉｐｔｏｒの論理チャンネル識別情報（ここでは、論理チャンネル番号（ｌｏｇｉｃａｌ＿ｃｈａｎｎｅｌ＿ｎｕｍｂｅｒ）情報）（ＥＴＳＩ  ＥＮ  ３００  ４６８  Ｖ１．６．１（２００４−０６）、及び、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６２２１６-１（Ｄｒａｆｔ  Ｖｅｒｓｉｏｎ  ２．０．２）参照）を取得するものである。
【００４５】
識別情報判定部１１４（識別情報判定手段に相当する）は、識別情報取得部１１３によって取得された論理チャンネル識別情報（ここでは、論理チャンネル番号（ｌｏｇｉｃａｌ＿ｃｈａｎｎｅｌ＿ｎｕｍｂｅｒ）情報）が、チャンネル記憶部１２１に格納された論理チャンネル識別情報と一致するか否かを判定するものである。
【００４６】
図３は、識別情報取得部１１３によって取得される論理チャンネル番号情報の一例を示す図表である。（ａ）は、チャンネル記憶部１２１に格納された論理チャンネル番号情報の一例を示す図表であり、（ｂ）は、識別情報取得部１１３によって取得された論理チャンネル番号情報一例を示す図表である。（ａ）、（ｂ）に示す図表では、左側から順に、物理チャンネル識別情報（ここでは、物理チャンネル番号情報）、サービスの内容を識別する識別情報であるサービスＩＤ（Ｓｅｒｖｉｃｅ  ｉｄ）、及び、論理チャンネル番号情報が記載されている。
【００４７】
（ａ）に示す図表においては、サービスＩＤ「１０２」に対応する論理チャンネル番号が「２」であるのに対して、（ｂ）に示す図表においては、サービスＩＤ「１０２」に対応する論理チャンネル番号が「８」に変更されているため、識別情報判定部１１４によって、識別情報取得部１１３によって取得された論理チャンネル番号情報が、チャンネル記憶部１２１に格納された論理チャンネル番号情報と一致しないと判定される。
【００４８】
再び、図２を用いて、ＭＰＵ１１の機能構成について説明する。識別情報更新部１１５（識別情報更新手段に相当する）は、識別情報判定部１１４によって一致しないと判定された場合に、識別情報取得部１１３によって取得された論理チャンネル識別情報を、チャンネル記憶部１２１に格納された論理チャンネル識別情報に換えて、チャンネル記憶部１２１に記録する（＝更新する）ものである。
【００４９】
図３（ａ）、（ｂ）に示す場合には、（ａ）に示す図表においては、サービスＩＤ「１０２」に対応する論理チャンネル番号が「２」であるのに対して、（ｂ）に示す図表においては、サービスＩＤ「１０２」に対応する論理チャンネル番号が「８」に変更されているため、識別情報更新部１１５によって、サービスＩＤ「１０２」に対応する論理チャンネル番号が「２」から「８」に更新される。
【００５０】
表示制御部１１６（表示制御手段に相当する）は、識別情報判定部１１４によって一致しないと判定された場合に、論理チャンネル番号情報が更新されている旨の情報を、ディスプレイ１７３に外部から視認可能に表示するものである。
【００５１】
図４は、表示制御部１１６によってディスプレイ１７３に表示されるチャンネル更新画面の一例を示す画面図である。チャンネル更新画面３００には、画面略中央部に、ガイダンス表示部３０１が表示され、ガイダンス表示部３０１の下側に、確認ボタン３０２が表示されている。
【００５２】
ガイダンス表示部３０１は、論理チャンネル番号情報が更新されている旨の情報を文字情報としてＯＳＤ（Ｏｎ−Ｓｃｒｅｅｎ  Ｄｉｓｐｌａｙ）等を介して表示するものであって、ここでは、「チャンネル番号が更新されました  ２ＣＨ→８ＣＨ」と表示されている。すなわち、図３（ａ）、（ｂ）に示す場合に、サービスＩＤ「１０２」に対応する論理チャンネル番号が「２」から「８」に更新されたことがガイダンス表示部３０１に表示されている。ユーザは、ガイダンス表示部３０１に表示された文字情報によって、更新される前にチャンネル番号を「２」に設定して視聴していた番組を、今後は、チャンネル番号を「８」に設定することによって視聴することができることが判る。
【００５３】
確認ボタン３０２は、ユーザがチャンネル更新画面３００を消去する場合（＝チャンネル更新画面３００に表示された内容を確認した場合）に押下するボタンである。確認ボタン３０２が押下された場合には、表示制御部１１６によってチャンネル更新画面３００が消去され、通常の受信部１４を介して受信されたテレビジョン放送の映像を表示する状態とされる。
【００５４】
図５は、デジタル放送受信機１（主にＭＰＵ１１）の動作の一例を示すフローチャートである。ここでは、便宜上、チャンネル記憶部１２１に、論理チャンネル番号情報が、論理チャンネルに対応するサービスが受信可能な１の周波数帯域に対応する物理チャンネルを識別する情報である物理チャンネル番号情報と対応付けて予め格納されている場合について説明する。
【００５５】
まず、チャンネル設定部１１１によって、１の論理チャンネルが設定され（Ｓ１０１）、受信部１４を介して、設定された１の論理チャンネルに対応するサービスが受信可能な１の周波数帯域が受信される（Ｓ１０３）。そして、テーブル取得部１１２によって、受信部１４を介して、ＮＩＴ（ａｃｔｕａｌ）情報が取得される（Ｓ１０５）。次いで、識別情報取得部１１３によって、ステップＳ１０５において取得されたＮＩＴ（ａｃｔｕａｌ）情報に基づいて、論理チャンネル番号情報が取得される（Ｓ１０７）。
【００５６】
次に、識別情報判定部１１４によって、ステップＳ１０７において取得された論理チャンネル番号情報が、チャンネル記憶部１２１に格納された論理チャンネル識別情報と一致するか否かが判定される（Ｓ１０９）。一致すると判定された場合（Ｓ１０９でＹＥＳ）には、処理がステップＳ１１５に進められる。一致しないと判定された場合（Ｓ１０９でＮＯ）には、識別情報更新部１１５によって、ステップＳ１０７において取得された論理チャンネル番号情報がチャンネル記憶部１２１に記録される（＝更新される）（Ｓ１１１）。そして、表示制御部１１６によって、図４に示すチャンネル更新画面３００がディスプレイ１７３に表示される（Ｓ１１３）。
【００５７】
ステップＳ１０９でＹＥＳの場合、又は、ステップＳ１１３の処理が終了した場合には、テーブル取得部１１２によって、予め設定された所定時間（ここでは、５秒）が経過したか否かの判定が行われる（Ｓ１１５）。所定時間が経過していないと判定された場合（Ｓ１１５でＮＯ）には、処理が待機状態とされる。所定時間が経過したと判定された場合（Ｓ１１５でＹＥＳ）には、処理がステップＳ１０５に戻され、ステップＳ１０５以降の処理が繰り返し実行される。
【００５８】
このようにして、ディスプレイ１７３に表示する１のサービスに対応する論理チャンネルを識別する情報である論理チャンネル識別情報（ここでは、論理チャンネル番号情報）が、論理チャンネルに対応するサービスが受信可能な１の周波数帯域に対応する物理チャンネルを識別する情報である物理チャンネル識別情報（ここでは、物理チャンネル番号情報）と対応付けてチャンネル記憶部１２１に予め格納されており、リモコン２を介してユーザからの操作入力が受け付けられて、受け付けられた操作入力に基づいて、ディスプレイ１７３に表示する１の論理チャンネルが設定されると共に、受信部１４を介して、設定された１の論理チャンネルに対応するサービスが受信可能な１の周波数帯域が受信される。そして、予め設定された所定時間（ここでは、５秒）毎に、受信部１４を介して、１の周波数帯域のテレビジョン放送に含まれるＮＩＴ（Ｎｅｔｗｏｒｋ  Ｉｎｆｏｒｍａｔｉｏｎ  Ｔａｂｌｅ）情報（ここでは、ＮＩＴ（ａｃｔｕａｌ）情報）が取得され、取得されたＮＩＴ情報に基づいて、論理チャンネル識別情報が取得される。更に、取得された論理チャンネル識別情報が、チャンネル記憶部１２１に格納された論理チャンネル識別情報と一致するか否かが判定され、一致しないと判定された場合に、取得された論理チャンネル識別情報が、チャンネル記憶部１２１に格納された論理チャンネル識別情報に換えて、チャンネル記憶部１２１に記録されるため、利便性良好にチャンネルマップを更新することができる。
【００５９】
すなわち、予め設定された所定時間（ここでは、５秒）毎に、リモコン２を介してユーザからの操作入力に基づいて設定された１の論理チャンネルに対応する１の周波数帯域のテレビジョン放送に含まれるＮＩＴ情報（ここでは、ＮＩＴ（ａｃｔｕａｌ）情報）が取得されて、取得されたＮＩＴ情報に基づいて、論理チャンネル識別情報（ここでは、論理チャンネル番号情報）が取得され、取得された論理チャンネル識別情報が、チャンネル記憶部１２１に格納された論理チャンネル識別情報と一致しないと判定された場合に、取得された論理チャンネル識別情報が、チャンネル記憶部１２１に格納された論理チャンネル識別情報に換えて、チャンネル記憶部１２１に記録されるため、放送される論理チャンネル識別情報が更新される度に、ユーザが何らかの操作入力を行うことなくチャンネル記憶部１２１に格納された論理チャンネル識別情報が更新される（＝チャンネルマップが更新される）ので、利便性良好にチャンネルマップを更新することができるのである。
【００６０】
また、リモコン２を介して受け付けられたユーザからの操作入力に基づいて設定された１の論理チャンネルに対応する１の周波数帯域を介して受信される論理チャンネルに対応する論理チャンネル識別情報（ここでは、論理チャンネル番号情報）が取得されるため、更に利便性良好にチャンネルマップを更新することができる。
【００６１】
すなわち、ユーザが視聴を所望する番組が放送される論理チャンネルを設定する度に、設定された１の論理チャンネルに対応する１の周波数帯域を介して受信される論理チャンネルに対応する論理チャンネル識別情報（ここでは、論理チャンネル番号情報）が取得されるため、ユーザが視聴を所望する番組が放送される論理チャンネルに関するチャンネルマップの更新が確実に行われるので、更に利便性良好にチャンネルマップを更新することができるのである。
【００６２】
更に、選択されているネットワーク（＝チャンネル設定部１１１によって設定された１の論理チャンネルに対応するサービスが送信される放送塔を含むネットワーク）に関するＮＩＴ情報であるＮＩＴ（ａｃｔｕａｌ）情報が取得され、取得されたＮＩＴ（ａｃｔｕａｌ）情報に含まれるＬｏｇｉｏｃａｌ＿ｃｈａｎｎｅｌ＿ｄｅｓｃｒｉｐｔｏｒの論理チャンネル識別情報（ここでは、論理チャンネル番号（ｌｏｇｉｃａｌ＿ｃｈａｎｎｅｌ＿ｎｕｍｂｅｒ）情報）が取得されるため、効率的にチャンネルマップを更新することができる。
【００６３】
すなわち、欧州のデジタル放送規格であるＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）において規定されているＮＩＴ（ａｃｔｕａｌ）情報に含まれるＬｏｇｉｏｃａｌ＿ｃｈａｎｎｅｌ＿ｄｅｓｃｒｉｐｔｏｒの論理チャンネル識別情報（＝ｌｏｇｉｃａｌ＿ｃｈａｎｎｅｌ＿ｎｕｍｂｅｒ）（ＥＴＳＩ  ＥＮ  ３００  ４６８  Ｖ１．６．１（２００４−０６）、及び、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６２２１６-１（Ｄｒａｆｔ  Ｖｅｒｓｉｏｎ  ２．０．２）参照）が取得されるため、設定された１の論理チャンネルに対応する１の周波数帯域を介して受信される全ての論理チャンネルに対応する論理チャンネル識別情報を確実に取得することができるので、効率的にチャンネルマップを更新することができるのである。
【００６４】
加えて、取得された論理チャンネル識別情報（ここでは、論理チャンネル番号情報）が、チャンネル記憶部１２１に格納された論理チャンネル識別情報と一致しないと判定された場合に、論理チャンネル識別情報が更新されている旨の情報が、ディスプレイ１７３に外部から視認可能に表示される（図４参照）ため、更に利便性良好にチャンネルマップを更新することができる。
【００６５】
すなわち、取得された論理チャンネル識別情報（ここでは、論理チャンネル番号情報）が、チャンネル記憶部１２１に格納された論理チャンネル識別情報と一致しないと判定された場合（＝放送局側では論理チャンネル識別情報が更新されたが、デジタル放送受信機１では未だ論理チャンネル識別情報が更新されていない場合）に、論理チャンネル識別情報が更新されている旨の情報が、ディスプレイ１７３に外部から視認可能に表示されるため、論理チャンネル識別情報が更新されていることをユーザが視認することができるので、更に利便性良好にチャンネルマップを更新することができるのである。
【００６６】
なお、本発明は、以下の形態にも適用可能である。
（Ａ）本実施形態では、デジタル放送受信装置が、デジタル放送を受信するデジタル放送受信機１である場合について説明したが、デジタル放送受信装置が、デジタル放送及びアナログ放送を受信する形態でもよい。
【００６７】
（Ｂ）本実施形態では、ＭＰＵ１１が、チャンネル設定部１１１、テーブル取得部１１２、識別情報取得部１１３、識別情報判定部１１４、識別情報更新部１１５、表示制御部１１６等の機能部を備える場合について説明したが、チャンネル設定部１１１、テーブル取得部１１２、識別情報取得部１１３、識別情報判定部１１４、識別情報更新部１１５、及び、表示制御部１１６の内、少なくとも１の機能部が、回路等のハードウェアによって実現されている形態でもよい。
【００６８】
（Ｃ）本実施形態では、テーブル取得部１１２が、ＮＩＴ（ａｃｔｕａｌ）情報を取得し、識別情報取得部１１３が、チャンネル設定部１１１によって設定された１の論理チャンネルに対応するサービスが受信可能な１の周波数帯域を介して受信される論理チャンネルに対応する論理チャンネル識別情報を取得する場合について説明したが、テーブル取得部１１２が、ＮＩＴ（ｏｔｈｅｒ）情報を取得し、識別情報取得部１１３が、チャンネル設定部１１１によって設定された１の論理チャンネルに対応するサービスが受信可能な１の周波数帯域のテレビジョン放送を送信している放送塔を含む複数の放送塔から送出する全ての論理チャンネル識別情報を取得する形態でもよい。
【００６９】
この場合には、リモコン２を介するユーザからの操作入力に基づいて設定された１の論理チャンネルに対応する１の周波数帯域のテレビジョン放送を送信している放送塔を含む複数の放送塔から送出する全ての論理チャンネル識別情報が取得されるため、放送局側で論理チャンネル識別情報が更新される度に、更新された論理チャンネル識別情報が取得されるので、更に効率的にチャンネルマップを更新することができる。
【００７０】
具体的には、テーブル取得部１１２が、他のネットワーク（＝チャンネル設定部１１１によって設定された１の論理チャンネルに対応するサービスが送信される放送塔以外の複数の送信塔を含むネットワーク）に関するＮＩＴ情報であるＮＩＴ（ｏｔｈｅｒ）情報を取得し、識別情報取得部１１３が、テーブル取得部１１３によって取得されたＮＩＴ（ｏｔｈｅｒ）情報に含まれるＬｏｇｉｏｃａｌ＿ｃｈａｎｎｅｌ＿ｄｅｓｃｒｉｐｔｏｒの論理チャンネル識別情報（ここでは、論理チャンネル識別（＝ｌｏｇｉｃａｌ＿ｃｈａｎｎｅｌ＿ｎｕｍｂｅｒ）情報）を取得する形態でもよい。
【００７１】
この場合には、他のネットワークに関するＮＩＴ情報であるＮＩＴ（ｏｔｈｅｒ）情報が取得され、取得されたＮＩＴ（ｏｔｈｅｒ）情報に含まれるＬｏｇｉｏｃａｌ＿ｃｈａｎｎｅｌ＿ｄｅｓｃｒｉｐｔｏｒの論理チャンネル識別情報（ここでは、論理チャンネル識別（＝ｌｏｇｉｃａｌ＿ｃｈａｎｎｅｌ＿ｎｕｍｂｅｒ）情報）が取得されるため、更に効率的にチャンネルマップを更新することができる。
【００７２】
すなわち、欧州のデジタル放送規格であるＥＴＳＩにおいて規定されているＮＩＴ（ｏｔｈｅｒ）情報に含まれるＬｏｇｉｏｃａｌ＿ｃｈａｎｎｅｌ＿ｄｅｓｃｒｉｐｔｏｒの論理チャンネル識別情報（＝ｌｏｇｉｃａｌ＿ｃｈａｎｎｅｌ＿ｎｕｍｂｅｒ）（ＥＴＳＩ  ＥＮ  ３００  ４６８  Ｖ１．６．１（２００４−０６）、及び、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６２２１６-１（Ｄｒａｆｔ  Ｖｅｒｓｉｏｎ  ２．０．２）参照）が取得されるため、複数の放送塔から送出する全ての論理チャンネル識別情報を確実に取得することができるので、更に効率的にチャンネルマップを更新することができるのである。
【００７３】
図３（ｃ）、（ｄ）は、この場合に、識別情報取得部１１３によって取得される論理チャンネル番号情報の一例を示す図表である。（ｃ）は、チャンネル記憶部１２１に格納された論理チャンネル番号情報の一例を示す図表であり、（ｄ）は、識別情報取得部１１３によって取得された論理チャンネル番号情報一例を示す図表である。（ｃ）、（ｄ）に示す図表では、左側から順に、物理チャンネル識別情報（ここでは、物理チャンネル番号情報）、サービスの内容を識別する識別情報であるサービスＩＤ（Ｓｅｒｖｉｃｅ  ｉｄ）、及び、論理チャンネル番号情報が記載されている。
【００７４】
（ｃ）に示す図表においては、物理チャンネル番号が「２１」のサービスＩＤ「１０２」に対応する論理チャンネル番号が「２」であるのに対して、（ｄ）に示す図表においては、物理チャンネル番号が「２１」のサービスＩＤ「１０２」に対応する論理チャンネル番号が「８」に変更されている。また、（ｃ）に示す図表においては、物理チャンネル番号が「２３」のサービスＩＤ「２０３」及び「２０４」に、それぞれ、対応する論理チャンネル番号が「１３」及び「１４」であるのに対して、（ｄ）に示す図表においては、物理チャンネル番号が「２３」のサービスＩＤ「２０３」及び「２０４」に、それぞれ、対応する論理チャンネル番号が「１９」及び「１６」に変更されている。
【００７５】
更に、（ｃ）に示す図表においては、物理チャンネル番号が「２５」のサービスＩＤ「３０２」に対応する論理チャンネル番号が「２２」であるのに対して、（ｄ）に示す図表においては、物理チャンネル番号が「２５」のサービスＩＤ「３０２」に対応する論理チャンネル番号が「４０」に変更されている。そこで、識別情報判定部１１４によって、識別情報取得部１１３によって取得された論理チャンネル番号情報が、チャンネル記憶部１２１に格納された論理チャンネル番号情報と一致しないと判定される。
【００７６】
また、図３（ｃ）、（ｄ）に示す場合には、（ｃ）に示す図表においては、識別情報更新部１１５によって、物理チャンネル番号が「２１」のサービスＩＤ「１０２」に対応する論理チャンネル番号が「２」から「８」に更新され、物理チャンネル番号が「２３」のサービスＩＤ「２０３」及び「２０４」にそれぞれ対応する論理チャンネル番号が「１３」及び「１４」から「１９」及び「１６」に更新され、物理チャンネル番号が「２５」のサービスＩＤ「３０２」に対応する論理チャンネル番号が「２２」から「４０」に更新される。
【図面の簡単な説明】
【００７７】
【図１】は、本発明に係るデジタル放送受信機の構成の一例を示すブロック図である。
【図２】は、本発明に係るデジタル放送受信機における主要部の構成の一例を示すブロック図である。
【図３】は、識別情報取得部によって取得される論理チャンネル番号情報の一例を示す図表である。
【図４】は、表示制御部によってディスプレイに表示されるチャンネル更新画面の一例を示す画面図である。
【図５】は、デジタル放送受信機（主にＭＰＵ）の動作の一例を示すフローチャートである。
【符号の説明】
【００７８】
１    デジタル放送受信機（デジタル放送受信装置）
１１    ＭＰＵ
１１１    チャンネル設定部（チャンネル設定手段の一部）
１１２    テーブル取得部（テーブル取得手段）
１１３    識別情報取得部（識別情報取得手段）
１１４    識別情報判定部（識別情報判定手段）
１１５    識別情報更新部（識別情報更新手段）
１１６    表示制御部（表示制御手段）
１２    ＲＡＭ
１２１    チャンネル記憶部（チャンネル記憶手段）
１４    受信部（受信手段）
１７    画像出力部
１７３    ディスプレイ（モニタ）
２    リモコン（チャンネル設定手段の一部）
【図１】
2009105793.tif 000003
【図２】
2009105793.tif 000004
【図３】
2009105793.tif 000005
【図４】
2009105793.tif 000006
【図５】
2009105793.tif 000007